(57)【要約】【課題】エレベータの乗場開口部の高さ寸法に応じて、養生シートの長さ寸法を調節することができるエレベータの乗場開口部の養生装置の提供。【解決手段】上部シート体１ａと下部シート体１ｂとを連結してなる養生シート１Ｂの長さ寸法が、養生対象である乗場開口部４０Ａを覆うことができない長さである場合、上部シート体１ａと下部シート体１ｂの間に長さ寸法の不足分を補うのに十分な数の例えば１枚の補助シート体２を連結して、前記養生シート１Ｂよりも長い養生シート１Ａを組立てるようにした。【選択図】        図１
2004168478.tif 000002
【特許請求の範囲】
【請求項１】
エレベータの乗場開口部を覆う養生シートと、この養生シートを前記乗場開口部の周囲の乗場壁に支持する支持手段とを備えるエレベータの乗場開口部の養生装置において、
前記養生シートが、乗場開口部の上部を覆う上部シート体と、乗場開口部の下部を覆う下部シート体と、前記上部シート体と前記下部シート体を分離可能に連結する第１連結手段と、前記上部シート体と前記下部シート体の間に選択的に配置される補助シート体と、前記上部シート体と前記補助シート体を分離可能に連結する第２連結手段と、前記補助シート体と前記下部シート体を分離可能に連結する第３連結手段とを備えることを特徴とするエレベータの乗場開口部の養生装置。
【請求項２】
請求項１記載の発明において、前記補助シート体を複数備えるとともに、補助シート体同士を分離可能に連結する第４連結手段を備えることを特徴とするエレベータの乗場開口部の養生装置。
【請求項３】
請求項１または２記載の発明において、前記連結手段が、ファスナーからなることを特徴とするエレベータの乗場開口部の養生装置。
【請求項４】
請求項３記載の発明において、前記ファスナーの終端部を挟んで位置するシート体の隅部同士を締結する締結手段を備えることを特徴とするエレベータの乗場開口部の養生装置。
【発明の詳細な説明】
【０００１】
【発明の属する技術分野】
本発明は、エレベータの乗場開口部を覆う養生シートを備える養生装置に関する。
【０００２】
【従来の技術】
以下に、従来のエレベータの乗場開口部の養生装置について図を用いて説明する。
【０００３】
図５は、従来のエレベータの乗場開口部の養生装置を示す斜視図である。
【０００４】
従来のエレベータの乗場開口部の養生装置には、図５に示すものがある。この養生装置は、エレベータの乗場開口部４０を覆うことができる寸法に形成された養生シート３０と、この養生シート３０を乗場壁５０に支持する支持手段とを備えている。
【０００５】
前記支持手段は、乗場開口部４０の周囲の乗場壁５０の４箇所に打設されるアンカーボルト３１と、養生シート３０の長さ方向における一方の縁部および他方の縁部のそれぞれに装着される２本の棒状体３２と、養生シート３０の四隅に設けられている４つの鳩目３３と、各鳩目３３に挿通されてアンカーボルト３１に緊結される４本のロープ３４とから構成されている。
【０００６】
【特許文献１】
特開平７−２５７８６２号公報（段落０００７、図１）
【０００７】
【発明が解決しようとする課題】
ところで、上述した従来の養生装置に備えられる養生シート３０は、乗場開口部４０の高さ寸法に応じた寸法に作製されるものである。また、乗場開口部４０の高さ寸法は、階床間の寸法や乗場の出入口枠の意匠に応じて設定されるため、建屋によっては、高さ寸法の異なる複数種類の乗場開口部４０が設けられていることがある。
【０００８】
したがって、従来の養生装置では、乗場開口部４０の高さ寸法の種類数に対応した複数種類の養生シート３０を製作する必要があり、このように複数種類の養生シートを製作することは、少数多品種の養生シート３０を製作することになるため、同じ寸法の養生シート３０を多数作製する場合よりも、製作費用が割高になるという問題があった。
【０００９】
本発明は、上述の実状を考慮してなされたものであり、その目的は、エレベータの乗場開口部の高さ寸法に応じて、養生シートの長さ寸法を調節することができるエレベータの乗場開口部の養生装置を提供することにある。
【００１０】
【課題を解決するための手段】
上述の目的を達成するために、請求項１に係る発明は、エレベータの乗場開口部を覆う養生シートと、この養生シートを前記乗場開口部の周囲の乗場壁に支持する支持手段とを備えるエレベータの乗場開口部の養生装置において、前記養生シートが、乗場開口部の上部を覆う上部シート体と、乗場開口部の下部を覆う下部シート体と、前記上部シート体と前記下部シート体を分離可能に連結する第１連結手段と、前記上部シート体と前記下部シート体の間に選択的に配置される補助シート体と、前記上部シート体と前記補助シート体を分離可能に連結する第２連結手段と、前記補助シート体と前記下部シート体を分離可能に連結する第３連結手段とを備えることを特徴としている。
【００１１】
このように構成した発明では、乗場開口部の養生する際、上部シート体と下部シート体とを第１連結手段により連結してなる養生シートの長さ寸法が、養生対象である乗場開口部を覆うのに十分な長さであれば、その養生シートを支持手段により乗場開口部の周囲の乗場壁に支持して設置が完了する。
【００１２】
上部シート体と下部シート体とを第１連結手段により連結してなる養生シートの長さ寸法が、養生対象である乗場開口部を覆うことができない長さである場合、上部シート体と下部シート体を分離し、上部シート体と下部シート体の間に補助シート体を配置し、これら上部シート体、下部シート体および補助シート体を連結する。この際、補助シート体と上部シート体は第２連結手段により連結し、補助シート体と下部シート体は第３連結手段により連結する。これにより、上部シート体と下部シート体とを連結してなる養生シートでは長さ寸法が不足して完全に覆うことができない乗場開口部に対応した養生シートが構成される。
【００１３】
つまり、請求項１に係る発明では、上部シート体と下部シート体を直接連結するか、上部シート体と下部シート体とを補助シート体を介して連結するかにより、養生シートの長さ寸法を変えることができるので、乗場開口部の高さ寸法に応じて養生シートの長さ寸法を調節することができる。
【００１４】
また、請求項２に係る発明は、請求項１に係る発明において、前記補助シート体を複数備えるとともに、補助シート体同士を分離可能に連結する第４連結手段を備えることを特徴としている。このように構成したものでは、上部シート体と下部シート体の間に配置する補助シート体の数を加減することにより、高さ寸法の異なる３種類以上の乗場開口部のそれぞれに応じて養生シートの長さ寸法を調節することができる。
【００１５】
請求項３に係る発明は、請求項１または２記載の発明において、前記連結手段が、ファスナーからなることを特徴としている。このように構成したものでは、シート体の連結作業および分離作業を容易に行うことができる。
【００１６】
また、請求項４に係る発明は、請求項３に係る発明において、前記ファスナーの終端部を挟んで位置するシート体の隅部同士を締結する締結手段を備えることを特徴としている。このように構成したものでは、ファスナーの終端部を挟んで位置する一方のシート体の隅部と他方のシート体の隅部との相対的な移動を規制することを防できる。
【００１７】
【発明の実施の形態】
以下に本発明のエレベータの乗場開口部の養生装置の一実施形態を図を用いて説明する。
【００１８】
図１は、本発明のエレベータの乗場開口部の養生装置の一実施形態を示す斜視図、図２は、図１に示す実施形態に備えられるファスナーおよび締結手段を示す正面図、図３は、図１に示す実施形態を、図１に示す乗場開口部よりも高さ寸法の短い乗場開口部に設置した状態を示す斜視図、図４は、図１に示す実施形態に備えられる補助シート体を示す正面図である。
【００１９】
本実施形態は、図１に示すように、エレベータの乗場開口部４０Ａを覆う養生シート１Ａと、この養生シート１Ａを乗場開口部４０Ａの周囲の乗場壁５０Ａに支持する支持手段とを備えている。
【００２０】
前記支持手段は、乗場開口部４０Ａの上部の両側方の乗場壁５０Ａ部分のそれぞれに固定される２つのフック６Ａと、乗場開口部４０Ａの両側方の腰高の乗場壁５０Ａ部分のそれぞれに固定される２つのフック６Ｂと、養生シート１Ａの上縁部に装着され、両端部のそれぞれを前記２つのフック６Ａのそれぞれに引っ掛けられる棒状支持体５と、養生シート１Ａの腰高の部分に装着され、両端部を前記２つのフック６Ｂのそれぞれに引っ掛けられる強化棒状支持体７とから構成されている。前記２つのフック６Ａは、乗場開口部４０Ａを挟んで左右対象に配置されている。また、前記２つのフック６Ｂも、乗場開口部４０Ａを挟んで左右対象の位置に配置されている。また、前記強化棒状支持体７は、作業者が誤って寄り掛かった場合に作用する外力に耐えられる強度を有する材料、例えば強化プラスティックから形成されている。
【００２１】
また、前記棒状支持体５と前記強化棒状支持体７の間の養生シート１Ａ部分には、棒状支持体５と同様の棒状体８が複数、例えば３本装着されている。これらの棒状支持体５、強化棒状支持体７、および３本の棒状体８は、養生シート１Ａの幅方向に対して略平行に配置され、かつ、養生シート１Ａの長さ方向に等間隔に配置されている。また、養生シート１Ａの下縁部には、巾木９が装着されている。
【００２２】
また、養生シート１Ａの両側縁部の４箇所のそれぞれには、１対の鳩目１０が設けられており、各鳩目１０の対の付近の乗場壁５０Ａ部分には、固定部材１１が打設されている。そして、各鳩目１０の対には固定ロープ１２が挿通され、この固定ロープ１２が固定部材１１に緊結されている。
【００２３】
特に、本実施形態では、養生シート１Ａが、同図１に示すように、乗場開口部４０Ａの上部を覆う上部シート体１ａと、乗場開口部４０Ａの下部を覆う下部シート体１ｂと、上部シート体１ａと下部シート体１ｂの間に配置される補助シート体２とを備えている。上部シート体１ａと補助シート体２はファスナー１３Ａにより分離可能に連結されており、同様に、補助シート体２と下部シート体１ｂはファスナー１３Ｂにより分離可能に連結されている。
【００２４】
なお、図１に示す養生シート１Ａでは、上部シート体１ａと下部シート体１ｂとの間に１枚の補助シート体２が配置された状態が描かれているが、本実施形態では、図４に示すように、ファスナー１３Ｄにより分離可能に連結される複数の補助シート体２を備えている。つまり、本実施形態は、上部シート体１ａと下部シート体１ｂを、複数の補助シート体２を介して連結することも可能に構成されている。また、本実施形態は、図３に示すように、補助シート体２を取り除いて、上部シート体１ａと下部シート体１ｂをファスナー１３Ｃにより直接連結することも可能である。
【００２５】
前記ファスナー１３Ａは、図２に示すように、上部シート体１ａの下縁部に設けられている第１ファスナー部１３ａと、補助シート体２の上縁部に設けられている第２ファスナー部１３ｂと、第１ファスナー１３ａに取付られ、図２における紙面の右から左にスライドすることにより、第１ファスナー部１３ａと第２ファスナー部１３ｂを係合させるツマミ１３ｃとから構成されている。
【００２６】
同様に、前記ファスナー１３Ｂは、補助シート体２の下縁部に設けられている第１ファスナー部１３ａおよびツマミ１３ｃと、下部シート体１ｂの上縁部に設けられている第２ファスナー部１３ｂとから構成されている。
【００２７】
また同様に、前記ファスナー１３Ｃは、図３に示すように、上部シート体１ａの下縁部に設けられている第１ファスナー部１３ａおよびツマミ１３ｃと、下部シート体１ｂの上縁部に設けられている第２ファスナー部１３ｂとから構成されている。
【００２８】
また同様に、前記ファスナー１３Ｄは、図４に示すように、一方の補助シート体２に設けられている第１ファスナー部１３ａおよびツマミ１３ｃと、他方の補助シート体２に設けられている第２ファスナー部１３ｂとから構成されている。
【００２９】
また、本実施形態は、図２に示すように、ファスナー１３Ａの終端部１３ｄを挟んで位置する上部シート体１ａの隅部と補助シート体２の隅部とを締結する締結手段が設けられている。この締結手段は、上部シート体１ａの隅部に設けられる鳩目１４と、補助シート体２の隅部に設けられる鳩目１５と、これらの鳩目１４，１５に挿通されて結ばれる締結ロープ１６とから構成されている。
【００３０】
同様に、ファスナー１３Ｂの終端部１３ｄを挟んで位置する下部シート体１ｂの隅部と補助シート体２の隅部との間にも、締結手段が設けられている。この締結手段は、補助シート体２の隅部に設けられている鳩目１７と、下部シート体１ｂの隅部に設けられる鳩目１８と、これらの鳩目１７，１８に挿通されて結ばれる締結ロープ１６とから構成されている。
【００３１】
また、図３に示すように、上部シート体１ａと下部シート体１ｂを直接連結した状態では、上部シート体１ａに設けられている前記鳩目１４と、下部シート体１ｂに設けられている前記鳩目１８とが、ファスナー１３Ｃの終端部１３ｄを挟んで位置し、これらの鳩目１４，１８に締結ロープ１６を挿通することにより、ファスナー１３Ｃの終端部１３ｄ付近における第１シート体１ａの隅部と第２シート体１ｂの隅部とを締結する締結手段が構成されるようになっている。
【００３２】
また、図４に示すように、補助シート体２同士を連結した状態では、前記鳩目１５，１７が、ファスナー１３Ｄの終端部１３ｄを挟んで位置し、これらの鳩目１５，１７に締結ロープ１６を挿通することにより、ファスナー１３Ｄの終端部１３ｄ付近における補助シート体２の隅部同士を締結する締結手段が構成されるようになっている。
【００３３】
このように構成した本実施形態は、次のようにして乗場開口部４０Ａ，４０Ｂに設置される。なお、乗場開口部４０Ｂは乗場開口部４０Ａよりも高さ寸法が短いものである。
【００３４】
はじめに、本実施形態を高さ寸法の長い乗場開口部４０Ａに設置する場合について説明する。
【００３５】
まず、乗場開口部４０Ａの高さ寸法および幅寸法を確認する。そして、乗場開口部４０Ａの高さ寸法を完全に覆うことができる養生シート１Ａを組立てる。
【００３６】
すなわち、上部シート体１ａの下縁部に設けられている第１ファスナー部１３ａと、補助シート体２の上縁部に設けられている第２ファスナー部１３ｂとを係合させて、上部シート体１ａと補助シート体２を連結する。そして、上部シート体１ａに設けられている鳩目１４と、補助シート体２に設けられている鳩目１５とに、締結ロープ１６を挿通して結ぶ。
【００３７】
また、同様に、補助シート体２の下縁部に設けられている第１ファスナー部１３ａと、下部シート体１ｂの上縁部に設けられている第２ファスナー部１３ｂとを係合させて、補助シート体２と下部シート体１ｂを連結する。そして、補助シート体２に設けられている鳩目１７と、下部シート体４ａに設けられている鳩目１８とに、締結ロープ１６を挿通して結ぶ。
【００３８】
次に、フック６Ｂを、乗場開口部４０Ａ両側方の腰高の乗場壁５０Ａ部分に取付ける。このとき、強化棒状支持体７が載置されるフック６Ｂ部分から乗場床６０Ａまでの高さ寸法を、強化棒状支持体７から巾木９が装着される養生シート１Ａの縁部までの寸法に一致させる。そして、強化棒状支持体７の両端部のそれぞれを、２つのフック６Ｂのそれぞれに引っ掛ける。そして、巾木９が装着されている養生シート１Ａの縁部が、乗場床６０Ａに接触していることを確認する。接触していなければフック６Ｂの位置を下方に修正する。
【００３９】
次に、フック６Ａを、乗場開口部４０Ａ上部の両側方の乗場壁５０Ａ部分に取付ける。このとき、棒状支持体５が載置されるフック６Ａ部分から乗場床５０までの高さ寸法を、棒状支持体５から巾木９が装着されている養生シート１Ａの縁部までの寸法に一致させる。そして、養生シート１Ａの棒状支持体５の両端部のそれぞれを、２つのフック６Ａのそれぞれに引っ掛ける。
【００４０】
最後に、補助シート体２の両側縁部に設けられている１対の鳩目１０の付近の乗場壁５０Ａ部分に、固定部材１１を打設し、その１対の鳩目１０に固定ロープ１２を挿通して固定部材１１に緊結し、同様に、下部シート体１ｂの両側縁部に設けられている１対の鳩目１０の付近の乗場壁５０Ａ部分に、固定部材１１を打設し、その１対の鳩目１０に固定ロープ１２を挿通して固定部材１１に緊結して、乗場開口部４０Ａへの本実施形態の設置が完了する。
【００４１】
次に、本実施形態を高さ寸法の短い乗場開口部４０Ｂに設置する場合について説明する。
【００４２】
まず、乗場開口部４０Ｂの高さ寸法および幅寸法を確認する。そして、乗場開口部４０Ｂの高さ寸法を完全に覆うことができる養生シート１Ｂを組立てる。
【００４３】
すなわち、上部シート体１ａの下縁部に設けられている第１ファスナー部１３ａと、下部シート体１ｂの上縁部に設けられている第２ファスナー部１３ｂとを係合させて、上部シート体１ａと下部シート体１ｂを連結する。そして、上部シート体１ａに設けられている鳩目１４と、下部シート体４ａに設けられている鳩目１８とに、ロープ１２を挿通して結ぶ。
【００４４】
次に、フック６Ｂを、乗場開口部４０Ｂ上部の両側方の乗場壁５０Ｂ部分に取付ける。このとき、強化棒状支持体７が載置されるフック６Ｂ部分から乗場床６０Ｂまでの高さ寸法を、強化棒状支持体７から巾木９が装着される養生シート１Ｂの縁部までの寸法に一致させる。そして、強化棒状支持体７の両端部のそれぞれを、２つのフック６Ｂのそれぞれに引っ掛ける。このとき、巾木９が装着されている養生シート１Ｂの縁部が、乗場床６０Ｂに接触していることを確認する。接触していなければフック６Ｂの位置を下方に修正する。
【００４５】
次に、フック６Ａを、乗場開口部４０Ｂの両側方の乗場壁５０Ｂ部分に取付ける。このとき、棒状支持体５が載置されるフック６Ａ部分から乗場床６０Ｂまで高さ寸法を、棒状支持体５から巾木９が装着されている養生シート１Ｂの縁部までの寸法に一致させる。そして、養生シート１Ｂの棒状支持体５の両端部のそれぞれを、２つのフック６Ａのそれぞれに引っ掛ける。
【００４６】
最後に、補助シート体２の両側縁部に設けられている１対の鳩目１０の付近の乗場壁５０Ｂ部分に、固定部材１１を打設し、その１対の鳩目１０に固定ロープ１２を挿通して固定部材１１に緊結し、同様に、下部シート体１ｂの両側縁部に設けられている１対の鳩目１０の付近の乗場壁５０Ｂ部分に、固定部材１１を打設し、その１対の鳩目１０に固定ロープ１２を挿通して固定部材１１に緊結して、乗場開口部４０Ｂへの本実施形態の設置が完了する。
【００４７】
本実施形態では、次の効果が得られる。
【００４８】
本実施形態では、上部シート体１ａと下部シート体１ｂとの間に配置する補助シート体２の数を変えることにより、乗場開口部４０Ａの高さ寸法に対応する長さ寸法の養生シート１Ａや、乗場開口部４０Ｂの高さ寸法に対応する長さ寸法の養生シート１Ｂのように、乗場開口部の高さ寸法に応じて養生シートの長さ寸法を調節することができる。したがって、乗場開口部の高さ寸法の種類ごとに養生シートを製作する必要がなく、養生シートの製作費用を削減することができる。
【００４９】
また、本実施形態では、上部シート体１ａと補助シート体２、下部シート体１ｂと補助シート体２、上部シート体１ａと下部シート体１ｂ、および、補助シート体２同士を、ファスナー１３Ａ〜１３Ｄにより連結可能にしたので、シート体の連結作業および分離作業を容易に行うことができ、したがって、養生シートの寸法の調節作業の効率を向上させることができる。
【００５０】
また、本実施形態では、ファスナー１３Ａの終端部１３ｄを挟んで位置する上部シート体１ａの隅部と補助シート体２の隅部、ファスナー１３Ｂの終端部１３ｄを挟んで位置する補助シート体２の隅部と下部シート体１ｂの隅部、ファスナー１３Ｃの終端部１３ｄを挟んで位置する上部シート体１ａの隅部と下部シート体１ｂの隅部、および、ファスナー１３Ｄの終端部１３ｄを挟んで位置する一方の補助シート体２の隅部と他方の補助シート体２の隅部を、それぞれ締結手段により締結する、すなわち鳩目１４，１５や鳩目１７，１８に締結ロープ１６を挿通して結ぶので、ファスナー１３Ａ〜１３Ｄの終端部１３ｄを挟んで位置する一方のシート体の隅部と他方のシート体の隅部との相対的な移動を規制することを防できる。したがって、ファスナー１３Ａ〜１３Ｄが不用意に開くのを防止することができる。
【００５１】
また、本実施形態では、固定ロープ１２を、養生シート１Ａ，１Ｂなどの養生シートに設けられている複数対の鳩目１０に挿通して、乗場開口部４０Ａ，４０Ｂの両側方の乗場壁５０Ａ，５０Ｂ部分に取付けられている固定部材１１に緊結するので、養生シート１Ａ，１Ｂが昇降路側から乗場側に移動するのを規制できる。したがって、昇降路から乗場に吹込む風により養生シート１Ａ，１Ｂ等の養生シートが乗場側に膨らむのを防止することができる。
【００５２】
また、本実施形態では、養生シート１Ａ，１Ｂ等の養生シートが乗場側から昇降路側に移動するのを、棒状体８、強化棒状支持体６、および巾木７により規制することができる。これにより、乗場側から昇降路に吹込む風により養生シート１Ａ，１Ｂが昇降路側に膨らむのを防止することができる。
【００５３】
また、本実施形態では、棒状体８および巾木７が養生シート１Ａ，１Ｂを鉛直方向に引っ張るおもりとして機能するので、養生シート１Ａ，１Ｂを乗場開口部４０Ａ，４０Ｂ等の乗場開口部の位置に安定させることができる。
【００５４】
【発明の効果】
以上に説明したように、請求項１に係る発明では、上部シート体と下部シート体を直接連結するか、上部シート体と下部シート体とを補助シート体を介して連結するかにより、養生シートの長さ寸法を変えることができるので、乗場開口部の高さ寸法に応じて養生シートの長さ寸法を調節することができ、したがって、乗場開口部の高さ寸法の種類ごとに養生シートを製作する必要がなく、養生シートの製作費用を削減することができる。
【００５５】
また、請求項２に係る発明は、上部シート体と下部シート体の間に配置する補助シート体の数を加減することにより、高さ寸法の異なる３種類以上の乗場開口部のそれぞれに応じて養生シートの長さ寸法を調節することができ、したがって、乗場開口部の高さ寸法の種類ごとに養生シートを製作する必要がなく、養生シートの製作費用を削減することができる。
【００５６】
また、請求項３に係る発明では、シート体の連結作業および分離作業を容易に行うことができるので、養生シートの長さ寸法の調節作業の効率を向上させることができる。
【００５７】
また、請求項４に係る発明では、ファスナーの終端部を挟んで位置する一方のシート体の隅部と他方のシート体の隅部との相対的な移動を規制できるので、ファスナーが不用意に開くのを防止することができる。
【図面の簡単な説明】
【図１】本発明のエレベータの乗場開口部の養生装置の一実施形態を示す斜視図である。
【図２】図１に示す実施形態に備えられるファスナーおよび締結手段を示す正面図である。
【図３】図１に示す実施形態を、図１に示す乗場開口部よりも高さ寸法の短い乗場開口部に設置した状態を示す斜視図である。
【図４】図１に示す実施形態に備えられる補助シート体を示す正面図である。
【図５】従来のエレベータの乗場開口部の養生装置を示す斜視図である。
【符号の説明】
１Ａ，１Ｂ      養生シート
１ａ            上部シート体
１ｂ            下部シート体
２              補助シート体
５              棒状支持体
６Ａ，６Ｂ      フック
７              強化棒状支持体
８              棒状体
９              巾木
１０            鳩目
１１            固定部材
１２            固定ロープ
１３Ａ          ファスナー（第２連結手段）
１３Ｂ          ファスナー（第３連結手段）
１３Ｃ          ファスナー（第１連結手段）
１３Ｄ          ファスナー（第４連結手段）
１３ａ          第１ファスナー部
１３ｂ          第２ファスナー部
１３ｃ          ツマミ
１４，１５      鳩目
１６            締結ロープ
１７，１８      鳩目
４０Ａ，４０Ｂ  乗場開口部
５０Ａ，５０Ｂ  乗場壁
６０Ａ，６０Ｂ  乗場床
【図１】
2004168478.tif 000003
【図２】
2004168478.tif 000004
【図３】
2004168478.tif 000005
【図４】
2004168478.tif 000006
【図５】
2004168478.tif 000007